(57)【要約】【課題】ディスクの天板上を区画するサイドパネルにおいて、その使用状態と不使用状態とに容易に変化させるようにする。【解決手段】天板２の上面において天板２の前後方向に取り付ける基台５と、該基台５の後部において起倒可能に設けた開閉操作部材１２と、前記基台５と開閉操作部材１２間に設けられた折り畳み可能な幕部材１５とからなる。前記基台５に、上方が開口する収納室５ｄを形成し、該収納室５ｄ内に前記幕部材１５を折り畳み収納する。【選択図】          図３
2005000404.tif 000002
【特許請求の範囲】
【請求項１】
天板の上面において天板の前後方向に取り付ける基台と、該基台の後部において起倒可能に設けた開閉操作部材と、前記基台と開閉操作部材間に設けられた折り畳み可能な幕部材とからなることを特徴とするデスクトップサイドパネル。
【請求項２】
前記基台に、上方が開口する収納室を形成し、該収納室内に前記幕部材を折り畳み収納するようにした請求項１記載のデスクトップサイドパネル。
【発明の詳細な説明】
【０００１】
【発明の属する技術分野】
本発明はデスクトップサイドパネルに関するもので、詳しくは、机の天板上を左右方向において仕切るパネルに関する。
【０００２】
【従来の技術】
従来、図９に示すように机の天板１０１に、その上面の奥部に位置してフロントパネル１０２を設けたり、左右方向の側部や中間において仕切るサイドパネル１０３を設けることがある。
【０００３】
このようなサイドパネル１０３は従来、木製等の板材で形成し、これを天板１０１に専用のボルト及びナットで固着している。
【０００４】
【発明が解決しようとする課題】
前記従来のサイドパネル１０３においては、天板１０１に付設した使用状態から、そのサイドパネル１０３を使用しない時には、ボルト及びナットを外してそのサイドパネル１０３全体を外さなければならず、特に、特に一時的に天板上を開放したり、一次的に天板上を仕切りたい場合には、その操作が面倒である。更に、そのサイドパネル１０３を取り外した場合には、その取り外したサイドパネル１０３の置き場所を考えなければならない。
【０００５】
そこで本発明は、サイドパネルを取り外すことなく、その使用形態と不使用形態に容易に変化させることができるサイドパネルを提供することを目的とするものである。
【０００６】
【課題を解決するための手段】
前記の課題を解決するために、請求項１記載の発明は、天板の上面において天板の前後方向に取り付ける基台と、該基台の後部において起倒可能に設けた開閉操作部材と、前記基台と開閉操作部材間に設けられた折り畳み可能な幕部材とからなることを特徴とするものである。
【０００７】
本発明において、天板上に基台を取り付けた状態で、開閉操作部材を起立させることにより、その開いた幕部材によりサイドパネルの機能を発揮し、また、開閉操作部材を倒伏することにより幕部材が折り畳まれて天板上の左右方向を開放できる。
【０００８】
請求項２記載の発明は、請求項１記載の発明において、前記基台に、上方が開口する収納室を形成し、該収納室内に前記幕部材を折り畳み収納するようにしたものである。
【０００９】
本発明においては、折り畳まれた幕部材が基台内に収納され、見栄えが良くなる。
【００１０】
【発明の実施の形態】
本発明の好ましい実施の形態を図１乃至図８に基づいて説明する。
【００１１】
図１乃至図４は第１実施例を示す。
図１は本発明のサイドパネルをディスクに付設した状態を示す実施例で、ディスク１における天板２の上面の両側部と中央部にサイドパネル３を付設した例である。４はフロントパネルを示す。
【００１２】
前記サイドパネル３は、図２乃至図４に示すように、細長い（帯状の）基台５を有し、該基台５の長手方向の長さＬ１は所望に設定するが、例えば付設する天板２の前後方向の長さと略同一に設定する。該基台５には、底板５ａと前壁５ｂと両側壁５ｃを有し、中央部に上側が開口する収納室５ｄが形成されている。該収納室５ｄは、基台５の長手方向に長い溝状に形成されている。また、該基台５は樹脂などで形成する。
【００１３】
前記基台５の前部には、該基台５をディスク１の天板２に取り外し可能に付設するための取付手段６が設けられている。該取付手段６は、水平の上辺７ａと垂直な前辺７ｂと水平の下辺７ｃとからなるコ字状の取付金具７を、その前辺７ｂが前側になるようにしてその上辺７ａを基台５の下面にビス８で固着し、下辺７ｃに締め具９を螺着して構成されており、その取付金具７を、図３に示すように、天板２の前側から前端部２ａに嵌合し、締め具９を手動で回転して締め付けて天板２に取り外し可能に取り付けるようになっている。
【００１４】
基台５の後部にはヒンジ１０が付設されており、該ヒンジ１０の一方の辺１０ａが底板５ａにビス１１により固着され、他辺１０ｂが前後方向に回転するようになっている。
【００１５】
このヒンジ１０の他辺１０ｂには開閉操作部材１２がビス１３により固設されており、該開閉操作部材１２がヒンジ１０を中心として前後方向に起倒回動するようになっている。なお、この開閉操作部材１２は図３に示すように中空に形成され、該中空部に前記のヒンジ１０の他辺１０ｂが挿入されている。更に、前記中空部の上端はキャップ１４で塞がれている。
【００１６】
更に、前記開閉操作部材１２は、その起立状態と倒伏状態とが保持されるようになっており、例えば前記のヒンジ１０における他辺１０ｂの回転摩擦抵抗を大きくしている。
【００１７】
更に、前記開閉操作部材１２の長さＬ２は所望の長さに設定するもので、図の実施例では前記基台５の長さよりも短く設定され、かつ、これが前記収納室５ｄ内に収納されるように細長い形状に形成されている。
【００１８】
前記基台５における収納室５ｄの底面５ｅと前記開閉操作部材１２の前面１２ａとの間には幕部材１５が設けられている。該幕部材１５は扇の幕のように折り畳んだり開いたりすることができるように折曲形成されている。すなわち、一端１５ａが前記底面５ｅの長手方向の長さと略同長に形成され、他端１５ｂが前記開閉操作部材１２の前面１２ａの長手方向の長さと略同長に形成された略扇状の幕部材１５を用い、その一端１５ａを底面５ｅに固着し、他端１５ｂを前面１２ａに固着し、その一端１５ａと他端１５ｂの間を、前記ヒンジ１０部を中心とする放射線状に折り目を付けて、一端１５ａと他端１５ｂとの間が折り畳み的に伸縮するようになっている。この幕部材１４としては布や紙等を用いる。
【００１９】
以上のようであるから、基台５を天板２の所望の位置、例えば天板２の両側端部や中央部において、天板２の前後方向に配置するとともに取付金具７を天板２の前端部に嵌合し、締め具９により天板２に固定する。
【００２０】
そして、サイドパネル３の使用時には、開閉操作部材１２を手操作で図３の鎖線に示すように起立させる。これにより、幕部材１５が図１及び図２に示すように開き、サイドパネルとしての機能を発揮する。
【００２１】
次に、サイドパネル３を使用しないときには、図１及び図２の状態から開閉操作部材１２を手操作で前側へ倒し、図３の実線及び図４に示すように、収納室５ｄの上部に倒す。これにより、幕部材１５が折り畳まれて収納室５ｄ内に収納され、該サイドパネル３部における上部が左右方向に開放される。
【００２２】
なお、前記サイドパネル３の取付手段６は、前記実施例以外の方法でサイドパネル３を天板２に取り付けることができるものであってもよく、また、開閉操作部材１２の起立状態と倒伏状態を保持する保持手段は、前記のようにヒンジ１０の回転摩擦抵抗を高くする方法以外に、弾力的に嵌合する凹部と凸部を形成して構成してもよく、その他の方法でもよい。
【００２３】
図５及び図６は本発明の第２実施例を示す。
本第２実施例は、前記開閉操作部材１２を１枚の板で形成し、その起立状態における後面側、すなわち倒伏時における上面側に蓋２０を配置するとともに該蓋２０の起立状態における上端、すなわち倒伏時における先端を、ヒンジ２１により開閉操作部材１２に回転可能に連結したものである。
【００２４】
その他の構造は前記第１実施例と同様であるため、前記と同一部分には前記と同一符号を付してその説明を省略する。
【００２５】
本発明における基台５の長さＬ１は天板２の前後方向の長さに略等しくすることから約６００〜７００ｍｍに形成され、開閉操作部材１２は、起立した状態ではあまり長くすることができないことから約３００ｍｍに形成される。そのため、開閉操作部材１２を図５及び図６に示すように倒伏した場合、折り畳まれた幕部材１５が開閉操作部材１２の先端から露出することになる。
【００２６】
そこで本第２実施例は、図５の鎖線で示すように幕部材１５を開いた状態から開閉操作部材１２を図５の実線のように倒した後、蓋２０をヒンジ２１を中心として矢印Ａのように回転し、蓋２０を開閉操作部材１２の先方へ延長させ、該蓋２０により折り畳まれた幕部材１５の上部を被覆できるようにしたものである。
【００２７】
これにより、折り畳まれた幕部材１５全体を開閉操作部材１２と蓋２０で被覆し、見栄えを更に良くすることができる。
【００２８】
図７及び図８は本発明の第３実施例を示す。
本第２実施例は、前記第１実施例のように開閉操作部材１２を中空状に形成し、該中空内に延長蓋３０を前後方向に摺動可能に設けるとともに該延長蓋３０の先部に手掛け部３１を設け、該手掛け部３１により延長蓋３０を、開閉操作部材１２内に挿入収納したり、開閉操作部材１２から引き出すようにしたものである。
【００２９】
その他の構造は前記第１実施例と同様であるため、前記と同一部分には前記と同一符号を付してその説明は省略する。
【００３０】
本第３実施例においては、開閉操作部材１２を図７の鎖線で示すように起立した場合には延長蓋３０を開閉操作部材１２内に収納し、開閉操作部材１２を図７及び図８の実線で示すように倒伏した際には、延長蓋３０を開閉操作部材１２から矢印Ｂのように引き出して、図７及び図８の鎖線で示すように折り畳まれた幕部材１５を被覆する。
【００３１】
これにより、前記第２実施例と同様に折り畳まれた幕部材１５全体を開閉操作部材１２と延長蓋３０により被覆することができる。
【００３２】
【発明の効果】
以上のようであるから請求項１記載の発明によれば、サイドパネルの不使用時においては、開閉操作部材を倒伏させるのみでよく、従来のように一々取り外す必要がない。更に、従来のように、不使用時におけるサイドパネルの置き場所を考える必要がない。
【００３３】
また、不使用状態から使用状態にするには、単に開閉操作部材を起立させるのみでよく、その操作が極めて容易になる。
【００３４】
請求項２記載の発明によれば、更に、不使用時において幕部材を基台内に収納でき、見栄えが良くなる。
【図面の簡単な説明】
【図１】本発明の第１実施例を示すもので、サイドパネルを付設した状態のディスクの斜視図。
【図２】本発明の第１実施例のサイドパネルの斜視図で、使用状態を示す。
【図３】図２のサイドパネルにおける側断面図。
【図４】図２のサイドパネルの不使用状態を示す斜視図。
【図５】本発明の第２実施例を示すサイドパネルの側断面図。
【図６】図５のサイドパネルにおける不使用状態を示す斜視図。
【図７】本発明の第３実施例を示すサイドパネルの側断面図。
【図８】図７のサイドパネルにおける不使用状態を示す斜視図。
【図９】従来のサイドパネルを付設したディスクの斜視図。
【符号の説明】
１    ディスク
２    天板
３    サイドパネル
５    基台
５ｄ  収納室
６    取付手段
１０  ヒンジ
１２  開閉操作部材
１５  幕部材
【図１】
2005000404.tif 000003
【図２】
2005000404.tif 000004
【図３】
2005000404.tif 000005
【図４】
2005000404.tif 000006
【図５】
2005000404.tif 000007
【図６】
2005000404.tif 000008
【図７】
2005000404.tif 000009
【図８】
2005000404.tif 000010
【図９】
2005000404.tif 000011